(57)【要約】      （修正有）【課題】簡単な水洗いで微小孔の表裏面の孔周縁に付着した茶類の細かい葉のカスを洗い流してこびり付かないようにできる茶漉しフィルターを提供する。【解決手段】上面側が開口されたステンレス製容器の側周面３及び底面４に、微小孔５を多数形成すると共に各微小孔５の表裏面の孔周縁及びこれに連なる周辺を非凹凸の平坦面状に形成した。【選択図】図１
0003174808.tif 000002
【実用新案登録請求の範囲】
【請求項１】
上面側が開口されたステンレス製容器の側周面及び底面に、微小孔を多数形成すると共に各微小孔の表裏面の孔周縁及びこれに連なる周辺を非凹凸の平坦面状に形成したことを特徴とする茶漉しフィルター。
【請求項２】
上面側が開口されたステンレス製容器の側周面及び底面に、レーザー加工により、微小孔を多数形成すると共に各微小孔の表裏面の孔周縁及びこれに連なる周辺を非凹凸の平坦面状に形成したことを特徴とする茶漉しフィルター。
【考案の詳細な説明】
【技術分野】
【０００１】
この考案は、例えば緑茶、紅茶、その他の各種の茶類を飲む場合に使用される茶漉しフィルターに係り、特に、フィルターの各網目に相当する微小孔の表裏面の孔周縁及びこれに連なる周辺に微細な凹凸をなくして、簡単な水洗いで洗い流して、茶類の葉の細かいカスが微小孔の孔周縁に付着しないにする茶漉しフィルターに関するものである。
【背景技術】
【０００２】
例えば緑茶、紅茶などを飲む場合に使用される茶漉しフィルターとして金属製フィルター１１が知られている。金属製フィルター１１は、例えばステンレス製の針金１２を網目に編んでシート状の網が形成されている（図６（Ａ）参照）。網目に編むために、針金１２同士は互いに縦横に交差して編まれており、網目の周囲の交差する箇所の表裏面では針金１２の直径に相当する分だけ凹凸が形成されている（図６（Ｂ）参照）。
【先行技術文献】
【特許文献】
【０００３】
【特許文献１】特開２００２−１７５７５
【考案の概要】
【考案が解決しようとする課題】
【０００４】
しかしながら、従来の金属製フィルターは、網目の周囲の表裏面に形成された前述の凹凸により、使用後に洗浄しても、緑茶や紅茶などの葉の一部の細かいカスが、凹凸する表裏面の一部に引っ掛かって付着し、水洗いでは簡単に落ちて流れないという不都合があり、また台所洗剤などを使用しても簡単に落ちないという不都合が考えられる。
さらに、従来の金属製フィルターの表裏面にカスが付着してこびり付いているうちに、台所洗剤などを使用して洗っても落ちなくなり、また、こびり付いたカスが次第にフィルターの網目を塞ぐようになって、フィルターの茶漉し機能が低下する不都合が考えられる。これに加えて、こびり付いた葉のカスによって新しく入れる緑茶や紅茶などの茶類の味加減が微妙に変化するという不都合も考えられる。
【０００５】
この考案は、上記のような課題に鑑み、その課題を解決すべく創案されたものであって、その目的とするところは、フィルターの網目に相当する微小孔を多数形成すると共に各微小孔の表裏面の孔周縁及びこれに連なる周辺を非凹凸の平坦面状に形成して、簡単な水洗いで微小孔の表裏面の孔周縁に付着した茶類の細かい葉のカスを洗い流してこびり付かないようにできる茶漉しフィルターを提供することにある。
【課題を解決するための手段】
【０００６】
以上の課題を達成するために、請求項１の考案は、上面側が開口されたステンレス製容器の側周面及び底面に、微小孔を多数形成すると共に各微小孔の表裏面の孔周縁及びこれに連なる周辺を非凹凸の平坦面状に形成した手段よりなるものである。
【０００７】
また、以上の課題を達成するために、請求項２の考案は、上面側が開口されたステンレス製容器の側周面及び底面に、レーザー加工により、微小孔を多数形成すると共に各微小孔の表裏面の孔周縁及びこれに連なる周辺を非凹凸の平坦面状に形成した手段よりなるものである。
【考案の効果】
【０００８】
課題を解決するための手段よりなるこの考案に係る茶漉しフィルターによれば、茶漉しフィルターの側周面及び底面に多数形成された各微小孔は、その表裏面の孔周縁及びこれに連なる周辺が非凹凸の平坦面状に形成されているので、茶漉しフィルターを水洗いする場合に、飲用する茶類の例えば緑茶、紅茶などの細かい葉のカスが、従来のフィルターのように網目の周囲の凹凸箇所に相当する表裏面の孔周縁及びこれに連なる周辺に引っ掛かることなく、表裏面の孔周縁及びこれに連なる周辺の非凹凸の平坦面状に沿ってスムーズに流れ、簡単な洗浄で葉のカスを洗い流して表裏面の一部にこびり付くのを防ぐことができる。これにより、茶漉しフィルターの水洗いの手間を簡単容易にすることができる。
しかも、この考案に係る茶漉しフィルターによれば、各微小孔の表裏面の孔周縁及びこれに連なる周辺に葉のカスがこびり付くこともないので、従来のフィルターのように、付着してこびり付いた葉のカスが一部の網目を塞いで、フィルターの茶漉し機能が低下することもなく、また、こびり付いた葉のカスによって新しく入れる緑茶や紅茶などの茶類の味加減が微妙に変化することもない等、極めて実用的有益なる効果を奏するものである。
【図面の簡単な説明】
【０００９】
【図１】この考案を実施するための形態を示す茶漉しフィルターの側面図である。
【図２】この考案を実施するための形態を示す茶漉しフィルターの平面図である。
【図３】図２のＡ−Ａ矢視断面図である。
【図４】（Ａ）はこの考案を実施するための形態を示す微小孔の拡大図、（Ｂ）はこの考案を実施するための形態を示す側周面に形成された微小孔の拡大断面図、（Ｂ）はこの考案を実施するための形態を示す底面に形成された微小孔の拡大断面図である。
【図５】この考案を実施するための形態を示す茶漉しフィルターを急須にいれたときの断面図である。
【図６】（Ａ）は従来の金属製フィルターの部分拡大正面図、（Ｂ）は従来の金属製フィルターの部分拡大断面図である。
【考案を実施するための形態】
【００１０】
以下、図面に記載の考案を実施するための形態に基づいて、この考案をより具体的に説明する。
【００１１】
図において、茶漉しフィルター１は、例えば緑茶や紅茶などの各種の茶類を飲む場合にティポットや急須などの内部に入れられて使用され、茶類の細かい葉までも漉して、これらの葉の一部が注がれる緑茶や紅茶などの茶類の液体に混じって、湯飲みやカップに流入するのを防ぐものである。
【００１２】
茶漉しフィルター１は円筒形のステンレス製容器から構成され、その容器の上面側が開口され、その開口された周縁にはステンレス製薄板からなる鍔２が形成され、側周面３及び底面４はステンレス製薄板で構成されている。このステンレス製薄板で構成された側周面３及び底面４には微小孔が多数形成されている。ステンレス製薄板の板厚は例えば０．１５ｍｍ前後である。
【００１３】
円筒形のステンレス製容器の上面側の開口された周縁に形成された鍔２は、周縁の外側に向かって折り曲げられて平坦なリングになっている。鍔２は茶漉しフィルター１をティポットや急須の内部に入れたときに、ティポットや急須などの上面の内部開口周縁に係止されて、その底面４が急須などの内部底面から少し浮いた状態で支持されるようにする役目を果たす。茶漉しフィルター１の底面４が急須などの内部底面から少し浮いて離れていることで、底面４からも茶類のエキスが溶け出た液体が抽出されるように計られている。
【００１４】
円筒形のステンレス製容器から構成される茶漉しフィルター１は、これが入れられて使用されるティポットや急須などのサイズによって、円筒形の直径や円筒形の高さのサイズが何通りか造られている。利用者はティポットや急須などのサイズに応じて、それに合った茶漉しフィルター１を選択することができる。
【００１５】
ステンレス製容器の側周面３及び底面４に多数形成された各微小孔５は、従来の細い金属線を縦横に編んで形成された網目に相当するものである。この各微小孔５がフィルターの機能を果たして、茶類の細かい葉までも漉して、これが注がれる緑茶や紅茶などの茶類の液体に混じって、湯飲みやカップに流入するのを防いでいる。
【００１６】
この実施の形態における各微小孔５は円形孔から形成されている。また円形の直径は、例えば０．２ｍｍ前後であるが、その直径は必要に応じて、さらにこれより小さくしてもよいし、逆にこれより大きくてもよい。また、この実施の形態では、０．２ｍｍ前後の直径の各微小孔５は、１ｃｍ×１ｃｍの大きさの平面内に、百数十個程度の割合で均等な間隔で形成されている。
【００１７】
側周面３に形成された各微小孔５は、この実施の形態では例えば縦方向とこれに直交する横方向に等間隔になるように配置されている。また、各微小孔５の配置は、正方形の４つの角に各孔が配置され、正方形の中央の交点位置に、さらに別の同じ大きさの正方形の４つの角の一つが位置するような配置状態で、各微小孔５は側周面３に形成されている。つまり、茶類のエキスが溶け出た液体が側周面３側から抽出される場合、できるだけ均一に側周面３全体から容器の外側に抽出されるように、側周面３全体の微小孔５の配置の均一化が計られている。
【００１８】
側周面３に多数形成された各微小孔５の表裏面３ａ，３ｂの孔周縁５ａ及びこれに連なる周辺５ｂは、非凹凸の平坦面状に形成されている。周辺５ｂとは孔周縁５ａの外周側の全周部分の領域を指す（図４（Ａ）の多数の斜線で示した部分）。また、側周面３の表面３ａはステンレス製容器の内側となる面を指すものとし、側周面３の裏面３ｂとはステンレス製容器の外側となる面を指すものとする。また、孔周縁５ａ及びこれに連なる周辺５ｂが非凹凸の平坦面状とは、プレスで孔などを開けると、孔周縁や周辺に微小な反りやヒゲなどの凹凸が形成されることがあるが、このような微小な反りやヒゲなどの凹凸がないという意味である。
【００１９】
平坦面状とは、側周面３は平面から見て、円形に形成されているので、厳密に言えば各微小孔５の表面３ａ側は内側に向けて凹型の円弧状になって、内側に向けて曲がっていて、完全な平坦面でないので、このような表現を使っているが、上記と同じで、孔周縁５ａ及びこれに連なる周辺５ｂに微小な反りや刺などの凹凸がないという意味である。
【００２０】
底面４に形成された各微小孔５は、この実施の形態では例えば底面４の中心から同心円状に、しかも各同心円ではその円周方向にそれぞれ等間隔になるように配置されている。中心から外側に向かって直径が大きくなりその円周が長くなるので、外側になるほど、円周方向に形成された微小孔５の数は多くなっている。つまり、茶類のエキスが溶け出た液体が底面４側から抽出される場合、できるだけ均一に底面４全体から容器の外側に抽出されるように、底面４全体の微小孔５の配置の均一化が計られている。
【００２１】
底面４に多数形成された各微小孔５の表裏面４ａ，４ｂの孔周縁５ａ及びこれに連なる周辺５ｂは、非凹凸の平坦面状に形成されている。周辺５ｂとは孔周縁５ａの外周側の全周部分の領域を指す（図４（Ａ）の多数の斜線で示した部分）。また、底面４の表面４ａはステンレス製容器の内側となる面を指すものとし、底面４の裏面４ｂとはステンレス製容器の外側となる面を指すものとする。また、孔周縁５ａ及びこれに連なる周辺５ｂが非凹凸の平坦面状とは、プレスで孔などを開けると、孔周縁や周辺に微小な反りやヒゲなどの凹凸が形成されることがあるが、このような微小な反りやヒゲなどの凹凸がないという意味である。
【００２２】
この実施の形態では、底面４は側周面３と異なり、水平な平坦面に形成されているので、底面４に形成された各微小孔５の表裏面４ａ，４ｂの孔周縁５ａ及びこれに連なる周辺５ｂに形成された非凹凸の平坦面状の意味には、完全な平坦面が含まれる。しかし、この実施の形態と異なって、底面４がすり鉢状に形成されることも考えられる。このときには、前記の側周面３の場合と同じように、厳密に言えば各微小孔５の表面４ａ側は内側に向けて凹型の円弧状になって、内側に向けて曲がっていて、完全な平坦面ではなくなることもあり得るので、このような表現を使っている。底面４がすり鉢状に形成されるときには、側周面３と同じとなり、孔周縁５ａ及びこれに連なる周辺５ｂに微小な反りやヒゲなどの凹凸がないという意味になる。
【００２３】
側周面３及び底面４にそれぞれ形成される微小孔５は、レーザー加工により、孔が穿設される。プレス加工などによって孔を開ける場合には、孔周縁にはその表裏面の一方側の面に凸型の微小な反りやヒゲが形成されたりするが、レーザー加工の場合にはこれらが生じるのを防いで孔周縁５ａ及びこれに連なる周辺５ｂを平坦面に形成することができる。また、レーザー加工により、微小孔５の形成が容易となる。
【００２４】
茶漉しフィルター１は、例えば、鍔２、側周面３及び底面４の３つの部品を接合して造られている。側周面３は、平坦な板面の状態でレーザー加工により微小孔５が形成され、これを円筒状に曲げ、その円筒状に曲げた側端同士を接合することにより造られる。
【００２５】
次に、上記考案を実施するための形態の構成に基づく使用について以下説明する。
ティポットや急須６などの蓋６ａをあけ、この急須６などに合ったサイズの円筒形のステンレス製容器からなる茶漉しフィルター１をその内部に入れる。茶漉しフィルター１の上面開口周縁に形成された鍔２が、ティポットや急須６などの上面の内部開口周縁に係止されるので、茶漉しフィルター１はその底面４が急須６などの内部底面から少し浮いた状態で支持される。
【００２６】
茶漉しフィルター１の円筒形のステンレス製容器の内側に、例えば緑茶、紅茶などの好みの茶類の葉を適量入れる。これに例えば熱湯を注ぐ。熱湯が注がれると、茶漉しフィルター１の円筒形のステンレス製容器の内側に入れられた茶類の葉は、いわゆる踊りながら茶漉しフィルター１の内側で拡散する。
【００２７】
この場合において、袋に入れられた茶類の葉は、袋の内部が狭いため、熱湯を注いでも、袋の内部でいわゆる踊りながら拡散できないので、葉に含まれるエキスを満遍なく抽出させることができないが、茶漉しフィルター１の内側で踊りながら拡散する茶類の葉は熱湯と十分に交わるために、葉に含まれるエキスが満遍なく熱湯に溶け出す。
【００２８】
溶け出したエキスは熱湯によって拡散し、茶漉しフィルター１の側周面３及び底面４に形成された多数の微小孔５を通過して、茶漉しフィルター１の外側に抽出される。このとき、微小孔５の孔径よりも小さな一部の微細な葉は微小孔５を通り抜けて茶漉しフィルター１の外側に流出するが、微小孔５の孔径よりも大きい葉は微小孔５によって遮られて、茶漉しフィルター１の外側に漏れ出ることはない。このため、緑茶や紅茶などの茶類を飲むときに気になる大きさの葉を同時に飲むことはなく、不快感が生まれることはない。
【００２９】
ところで、使用後にフィルターを洗う場合において、従来の細い針金を網目に編んだものはその網目の周囲に凹凸が形成されて、この凹凸に微細な葉のカスが引っ掛かって、簡単に洗い流すことができないことがある。また、洗い流すことができなかった微細な葉のカスはいつの間にかこびり付いて、台所洗剤などを使用しても洗い流すことが困難となる。そしてこびり付いたカスにさらに新たな葉のカスが付着してこびり付き、それが繰り返し行われてフィルターの網目は徐々に塞がれていき、フィルターの機能が低下する。さらに、こびり付いたカスはこれを使用して次に新たな茶類を飲む場合に、微妙に味加減を影響を与えるなどの欠点が考えられる。
【００３０】
しかし本案の茶漉しフィルター１の場合には、その側周面３及び底面４に形成された各微小孔５の孔周縁５ａに、微細な葉が引っ掛かって付着していても、その表裏面３ａ，３ｂ，４ａ，４ｂの孔周縁５ａ及びこれに連なる周辺５ｂは非凹凸の平坦面状に形成されているため、茶漉しフィルター１の使用後に、これを水で洗うと、引っ掛かることなく、簡単に洗い流すことができるのである。
【００３１】
このように簡単に洗い流すことができるので、葉のカスがこびり付くこともなく、こびり付いたカスが新たなカスをこびり付かせて成長することもないので、微小孔５がこびり付いたカスで塞がれて、フィルターとしての機能が低下することもない。また、こびり付いたカスによって次にこのフィルターを使用して茶類を飲む場合に、微妙に味加減に影響を与えたりすることも全くないのである。
【００３２】
なお、この考案は上記考案を実施するための形態に限定されるものではなく、この考案の精神を逸脱しない範囲で種々の改変をなし得ることは勿論である。
【符号の説明】
【００３３】
１    茶漉しフィルター
２    鍔
３    側周面
３ａ  表面
３ｂ  裏面
４    底面
４ａ  表面
４ｂ  裏面
５    微小孔
５ａ  孔周縁
５ｂ  周辺
６    急須
６ａ  蓋
１１  金属製フィルター
１２  針金
【図１】
0003174808.tif 000003
【図２】
0003174808.tif 000004
【図３】
0003174808.tif 000005
【図４】
0003174808.tif 000006
【図５】
0003174808.tif 000007
【図６】
0003174808.tif 000008